(57)【特許請求の範囲】
【請求項１】
挿入側コネクタ部と前記挿入側コネクタ部が挿入される受入側コネクタ部とから成り、前記挿入側コネクタ部と受入側コネクタ部とは相互に雌雄結合するコネクタ端子をそれぞれ有するコネクタにおいて、前記挿入側コネクタ部が前記受入側コネクタ部に挿入されて両コネクタ部のコネクタ端子が嵌合し始めるまで前記挿入側コネクタ部と受入側コネクタ部とを相互に整列した正しい嵌合姿勢に矯正するコネクタ姿勢矯正手段を備え、前記コネクタ姿勢矯正手段は、前記挿入側コネクタ部の前部に設けられ前端に向けて次第に内側に傾斜するテーパ面を有する肩と、前記挿入側コネクタア部の後部に設けられ弾性的に撓むように延びる撓み片を有する複数の羽根と、前記受入側コネクタ部に設けられ前記肩のテーパ面によって押し広げられるように前記肩を案内する曲面を有する肩係合部とから成り、前記肩は、前記挿入側コネクタ部の挿入端側の全周面に亘って形成され、前記肩係合部は、前記受入側コネクタ部の内面の少なくとも１つの面に形成され、且つ前記受入側コネクタ部の内面から直角に延び次いで後方に向けて前記内面に平行に延びるように略Ｕ字状に形成され、前記直角に延びる部分と平行に延びる部分との間の屈曲部に前記肩が係合する曲面を有し、前記挿入側コネクタ部の前部が前記受入側コネクタ部に挿入され、両コネクタ部のコネクタ端子が嵌合し始める前に前記肩が前記受入側コネクタ部の中心軸線に向けて押されて前記挿入側コネクタ部の前部が前記受入側コネクタ部に対して整列して正しい姿勢となるように、前記肩係合部が前記肩を相対的に弾性的に押し付け、前記挿入側コネクタ部の前部が前記受入側コネクタ部に整列した後に、前記挿入側コネクタ部の後部が前記受入側コネクタ部に対して正しい姿勢となるように、前記羽根が前記受入側コネクタ部の内面に弾性的に係合することを特徴とするコネクタ。
【発明の詳細な説明】
【０００１】
【発明の属する技術分野】
本発明は、相互に雌雄結合すべきコネクタ端子をそれぞれ有する挿入側コネクタ部と受入側コネクタ部とから成るコネクタの改良に関し、特に自動車用ワイヤハーネスを相互に接続するのに好適に用いられる多極コネクタの改良に関するものである。
【０００２】
【従来の技術】
この種のコネクタは、コネクタ端子が相互に良好に結合されるようにするために挿入側コネクタ部が受入側コネクタ部に案内されながら挿入されるように構成されており、このような案内構造を有するコネクタは、例えば、実用新案登録第２，５４７，９０９号公報、特開平８−７８０９７号公報及び特開平９−１２９３１１号公報に開示されている。
【０００３】
例えば、実用新案登録第２，５４７，９０９号公報に開示されているコネクタは、受入側コネクタ部の内面に縦方向に延び先端にテーパを有する複数の案内リブを備え、挿入側コネクタは、この案内リブに案内されながら受入側コネクタ部に挿入して嵌合されるようになっている。また、特開平８−７８０９７号公報に開示されているコネクタは、受入側コネクタ部に挿入側コネクタ部が案内される案内壁部を有し、この案内壁部に挿入側コネクタ部の鈎部が嵌め込まれる縦溝が設けられている。更に、特開平９−１２９３１１号公報に開示されているコネクタは、挿入側コネクタ部の一側に複数のガイド突起を有し、受入側コネクタ部には挿入側コネクタ部が正しい向きで挿入された場合にそのガイド突起が嵌合されるガイド溝を有する。
【０００４】
しかし、これらの従来技術のコネクタは、いずれも、単にリブ、突起等とこれらのリブ、突起等が嵌合する溝等とから成る凹凸嵌合式の結合手段を有するにすぎないため、雌雄のコネクタ部分の端子が相互に結合する際に、凹凸嵌合部分の隙間で両コネクタ部の心合わせが外れることがあり、従ってこれらのコネクタ部分が相互に整列して常に正しい姿勢で結合される保証はない。
【０００５】
特に、多極コネクタは、コネクタ端子が相互に嵌合される際にきわめて大きな力が必要であるが、もし、両コネクタ部が相互に整列していないと、これらのコネクタ端子を嵌合するのに一層大きな力が必要となる上に、途中で嵌合することができなくなったり、コネクタ端子に無理な力が加わってコネクタ端子が変形したり、電気的接続の不良を招く欠点があった。
【０００６】
【発明が解決しようとする課題】
本発明が解決しようとする課題は、挿入側コネクタ部を受入側コネクタ部に対して整列して常に正しい姿勢で挿入されるようにして両コネクタ部のコネクタ端子に無理な力が加わったり変形したりすることなく、両コネクタ部を容易に結合することができるコネクタを提供することにある。
【０００７】
【課題を解決するための手段】
本発明の課題解決手段は、挿入側コネクタ部とこの挿入側コネクタ部が挿入される受入側コネクタ部とから成り、挿入側コネクタ部と受入側コネクタ部とは相互に雌雄結合するコネクタ端子をそれぞれ有するコネクタにおいて、挿入側コネクタ部が受入側コネクタ部に挿入されて両コネクタ部のコネクタ端子が嵌合し始めるまでに挿入側コネクタ部と受入側コネクタ部とを相互に整列した正しい嵌合姿勢に矯正するコネクタ姿勢矯正手段を備え、このコネクタ姿勢矯正手段は、挿入側コネクタ部の前部に設けられ前端に向けて次第に内側に傾斜するテーパ面を有する肩と、挿入側コネクタ部の後部に設けられ弾性的に撓むように延びる撓み片を有する複数の羽根と、受入側コネクタ部に設けられ前記の肩のテーパ面によって押し広げられるようにこの肩を案内する曲面を有する肩係合部とから成り、肩は、挿入側コネクタ部の挿入端側の全周面に亘って形成され、肩係合部は、受入側コネクタ部の内面の少なくとも１つの面に形成され、且つ受入側コネクタ部の内面から直角に延び次いで後方に向けて前記の内面に平行に延びるように略Ｕ字状に形成され、直角に延びる部分と平行に延びる部分との間の屈曲部に前記の肩が係合する曲面を有し、挿入側コネクタ部の前部が受入側コネクタ部に挿入され、両コネクタ部のコネクタ端子が嵌合し始める前に前記の肩が受入側コネクタ部の中心軸線に向けて押されて挿入側コネクタ部の前部が受入側コネクタ部に対して整列して正しい姿勢となるように、肩係合部が肩を相対的に弾性的に押し付け、挿入側コネクタ部の前部が受入側コネクタ部に整列した後に、挿入側コネクタ部の後部が受入側コネクタ部に対して正しい姿勢となるように、前記の羽根が受入側コネクタ部の内面に弾性的に係合することを特徴とするコネクタ提供することにある。
【０００８】
このように、挿入側コネクタ部が受入側コネクタ部に挿入されて両コネクタ部のコネクタ端子が嵌合し始める前に挿入側コネクタ部と受入側コネクタ部とを相互に整列した正しい嵌合姿勢に矯正するコネクタ姿勢矯正手段を備えていると、コネクタ端子が相互に嵌合する際に、両コネクタ部は既に相互に整列しているので、コネクタ端子の嵌合を小さな力で円滑に行うことができ、従ってコネクタ端子に無理か力が加わったり変形したりすることがなく、電気的接続の不良を招くことがない。
【０００９】
また、このコネクタ姿勢矯正手段が挿入側コネクタ部の前部の肩（先端周縁部）が受入側コネクタ部の中心軸線に向けて押されて挿入側コネクタ部の前部が受入側コネクタ部に対して整列して正しい姿勢となるように挿入側コネクタ部の前部の肩を弾性的に押し付ける肩係合部を有すると、挿入側コネクタ部の前部が受入側コネクタ部の肩係合部に押されて受入側コネクタ部に自動的に中心合わせされるので、挿入側コネクタ部の前部を受入側コネクタ部に容易に整列することができ、従って挿入側コネクタ部の後部の整列と組合わさって挿入側コネクタ部の姿勢を確実に矯正することができる。
【００１０】
特に、挿入側コネクタ部の肩がテーパ面を有し、受入側コネクタ部の肩係合部は、挿入側コネクタ部のこのテーパ面の肩によって押し広げられるようにこの肩を案内する曲面を有すると、挿入側コネクタ部の前部の整列を一層良好に行うことができるので好ましい。
【００１１】
更に、コネクタ姿勢矯正手段が挿入側コネクタ部の外面に設けられて挿入側のコネクタ部分の後部が受入側コネクタ部に対して整列して正しい姿勢となるように受入側コネクタ部の内面に弾性的に係合する複数の羽根を有すると、挿入側コネクタ部の羽根が受入側コネクタ部の内面に押されて受入側コネクタ部に自動的に中心合わせされるので、挿入側コネクタ部を受入側コネクタ部に容易に整列することができ、従って挿入側コネクタ部の前部の整列と挿入側コネクタ部の後部の姿勢制御との前後２段階の制御によって挿入側コネクタ部を正しい姿勢に確実に矯正することができる。
【００１２】
【発明の実施の形態】
本発明の実施の形態を図面を参照して詳細に述べると、本発明の１つの実施の形態によるコネクタ１０が図１に示されており、このコネクタ１０は、自動車用ワイヤハーネス用の多極コネクタであるのが示されているが、自動車用ワイヤハーネス用以外のものにも適用することができることはもちろんである。
【００１３】
本発明のコネクタ１０は、挿入側コネクタ部１２とこの挿入側コネクタ部１２が挿入される受入側コネクタ部１４とから成っている。図示の形態では、挿入側コネクタ部１２は、図２（Ａ）に示すように、多数の雌コネクタ端子１６を有する雌コネクタ部であり、また受入側コネクタ部１４は、図２（Ｂ）に示すように、挿入側コネクタ部１２の雌コネクタ端子１６が嵌合する雄コネクタ端子１８を有する雄コネクタ部であるのが示されているが、挿入側コネクタ部１２が雄コネクタ部であり、受入側コネクタ部１４が雌コネクタ部であってもよい。
【００１４】
挿入側コネクタ部１２は、図２（Ａ）に示すように、略四角形状のフレーム２０を有し、雌コネクタ端子１６は、このフレーム２０の前面に露呈するようにフレーム２０内に保持されている。また、受入側コネクタ部１４は、図２（Ｂ）に示すように、同様に略四角形状のフレーム２２を有し、雄コネクタ端子１８は、挿入側コネクタ部１２が図８に示すように完全に挿入された状態で雌コネクタ端子１６が雄コネクタ端子１８に結合するような位置でフレーム２２内に保持されている。
【００１５】
フレーム２０及び２２は、図２（Ａ）及び図２（Ｂ）に示すように、四隅が斜めに面取りされており、また、図１及び図２には示されていないが、図３に示すように、挿入側コネクタ部１２のフレーム２０の外周面には挿入方向に延びる案内溝２０ａが設けられ、受入側コネクタ部１４のフレーム２２の内周面には挿入側コネクタ部１２の案内溝２０ａに嵌合する案内リブ（図示せず）が設けられている。尚、受入側コネクタ部１４のフレーム２２の雄コネクタ端子１８が保持されている部分は、挿入側コネクタ部１２の雌コネクタ端子１６を保持する部分が嵌合する嵌合部分２２Ａであり、その後方部分（開口側の部分）は挿入側コネクタ部１２のフレーム２０が案内される案内部分２２Ｂである。これらのフレーム２０及び２２は、適宜のプラスチック材料を成型して形成されている。
【００１６】
本発明のコネクタ１０は、挿入側コネクタ部１２が受入側コネクタ部１４に挿入されて両コネクタ部１２、１４のコネクタ端子１６、１８が嵌合し始めるまで挿入側コネクタ部１２と受入側コネクタ部１４とを相互に整列した正しい嵌合姿勢に矯正するコネクタ姿勢矯正手段２４を備えている。このコネクタ姿勢矯正手段２４は、挿入側コネクタ部１２をその前後で受入側コネクタ部１４に中心合わせして整列することによって挿入側コネクタ部１２の姿勢を矯正しつつ挿入側コネクタ部１２を挿入する機能を有する。以下、コネクタ姿勢矯正手段２４の前部姿勢矯正部を符号２４Ａで表示し、後部姿勢構成部を符号２４Ｂで表示する。
【００１７】
コネクタ姿勢矯正手段２４の前部姿勢矯正部２４Ａは、両コネクタ部１２、１４のコネクタ端子１６、１８が嵌合し始めるまで挿入側コネクタ部１２の前部１２Ａが受入側コネクタ部１４の中心軸線Ｘ１４に向けて押されて挿入側コネクタ部１２の前部１２Ａが受入側コネクタ部１４に対して整列して正しい姿勢となるように挿入側コネクタ部１２の前部１２Ａに設けられた肩（先端周縁部）２６と、受入側コネクタ部１４に設けられ挿入側コネクタ部の肩２６を弾性的に押し付ける肩係合部２８とから成っている。図１から解るように、この肩係合部２８は、受入側コネクタ部１４のフレーム２２の嵌合部分２２Ａの入口に設けられており、従って挿入側コネクタ部１２が受入側コネクタ部１４の嵌合部分２２Ａに嵌合される前に、即ち雌コネクタ端子１６が雄コネクタ端子１８に嵌合し始める前に、肩２６が肩係合部２８に係合する。
【００１８】
特に、図５に詳細に示すように、受入側コネクタ部１４の肩係合部２８は、フレーム２２の内面から直角に延び次いで後方に向けて内面に平行に延びるように略Ｕ字状に形成され、直角に延びる部分２８ａと平行に延びる部分２８ｂとの間の屈曲部２８ｃに挿入側コネクタ部１２の前部１２Ａの肩２６が係合する曲面２８ｄを有する。一方、挿入側コネクタ部１２の前部の肩（先端周縁部）２６は、前端に向けて次第に内側に傾斜するテーパ面２６ａを有し、受入側コネクタ部１４の肩係合部２８の曲面２８ｄは、挿入側コネクタ部１２のテーパ面２６ａを有する肩２６によって押し広げられるようにこの肩２６を案内する機能を有する。尚、図示の形態では、肩係合部２８が弾性的に撓むようになっているが、肩係合部２８は剛性を有し、肩２６が弾性的に撓むように構成してもよい。
【００１９】
コネクタ姿勢矯正手段２４の後部姿勢矯正部２４Ｂは、受入側コネクタ部１４の案内部分２２Ｂの内面に対応して挿入側コネクタ部１２の外面に設けられて挿入側コネクタ部１２の後部１２Ｂが受入側コネクタ部１４に対して中心軸線Ｘ１４に向けて押されて受入側コネクタ部１４に自動的に整列して正しい姿勢となるように受入側コネクタ部１４の案内部分２２Ｂの内面に弾性的に係合する複数の羽根３０から成っている。この羽根３０は、特に、図３及び図４に示すように、フレーム２０の外面から弾性的に撓むように延びる撓み片３２の外面に一体に設けられている。
【００２０】
図示の形態では、この羽根３０は、挿入側コネクタ部１２の前部１２Ａを受入側コネクタ部１４に整列した直後に挿入側コネクタ部１２の後部１２Ｂが受入側コネクタ部１４に整列して正しい姿勢となるように、挿入側コネクタ部１２の後端に設けられているが、前後で時間的にずれが生ずれば、後端よりも前方の位置に設けられていてもよい。
【００２１】
図２から解るように、挿入側コネクタ部１２の前部１２Ａの肩２６は、フレーム２０の全周面、即ち４面の全面に亘ってテーパ面２６ａを有するが、受入側コネクタ部１４の肩係合部２８は、フレーム２２の上下の内面にはその中央に各１つずつ、また左右の内面には中央から間隔をあけて各２つずつ設けられている。従って、挿入側コネクタ部１２の前部１２Ａは、そのテーパ面２６ａを有する肩２６が受入側コネクタ部１４の上下の各１つの肩係合部２８と左右の各２つの肩係合部２８とによって中心軸線Ｘ１４に向けて均等に押されて受入側コネクタ部１４に整列する。
【００２２】
同様に、図２から解るように、挿入側コネクタ部１２の後部１２Ｂの羽根３０は、フレーム２０の上下左右の４つの面にそれぞれ中央から間隔をあけて各２つずつ設けられている。このように羽根３０が各面の中央からずらせているのは、図１及び図２（Ｂ）に示すように、受入側コネクタ部１４のフレーム２２の案内部分２２Ｂに挿入側コネクタ部１２を作業者が手で掴んで受入側コネクタ部１４に差し込む際に作業者の手がフレーム２２に干渉されることがないようにフレーム２２に設けられた中央逃げ孔２２ａを避けるためである。
【００２３】
次に、本発明のコネクタ１０の嵌合動作を図６以下を参照して述べると、両コネクタ部１２、１４を嵌合するために、図６に示すように、挿入側コネクタ部１２のフレーム２０を把持してその前部１２Ａから受入側コネクタ部１４に挿入する。この場合、図３に示すように、挿入側コネクタ部１２のフレーム２０の案内溝２０ａとこれに対応する受入側コネクタ部１４の案内リブ（図示せず）とはフレーム２０、２２の４面の一部の面にのみ設けられているので、これらの案内溝２０ａと案内リブとを対応させることによってコネクタ端子１６、１８が相対応するように挿入側コネクタ部１２を受入側コネクタ部１４に正しい向きで嵌合することができる。
【００２４】
図７に示すように、挿入側コネクタ部１２の前部１２Ａのテーパ状の肩２６が肩係合部２８に係合すると、挿入側コネクタ部１２の中心軸線Ｘ１２が受入側コネクタ部１４の中心軸線Ｘ１４からずれていても、これらの中心軸線Ｘ１２、Ｘ１４が整列するように、挿入側コネクタ部１２の前部１２Ａが肩係合部２８の弾性によって押される。
【００２５】
一方、このように挿入側コネクタ部１２の前部１２Ａが整列した直後に、図７に示すように、挿入側コネクタ部１２の後部１２Ｂの羽根３０が受入側コネクタ部１４のフレーム２２の案内部分２２Ｂの内面に係合し、挿入側コネクタ部１２の後部１２Ｂでも両コネクタ部１２、１４のフレーム２０、２２の中心軸線Ｘ１２、Ｘ１４が整列するように、挿入側コネクタ部１２の後部１２Ｂが羽根３０の撓み片３２の弾性によって撓みながら相対的に押される。
【００２６】
従って、挿入側コネクタ部１２が受入側コネクタ部１４に対してずれた状態で挿入されても、雌コネクタ端子１６が雄コネクタ端子１８に嵌合し始める前に両コネクタ部１２、１４は相互に心合わせして正しい姿勢となるように矯正される。このため、コネクタ端子１６、１８が無理な力で嵌合されたり、変形したりすることがないし、またコネクタ端子１６、１８が嵌合の途中でそれ以上相互に入り込むことができなくなることが生ずることがない。
【００２７】
挿入側コネクタ部１２の前部１２Ａが肩係合部２８によって整列されてもこの前部１２Ａの肩２６のテーパ面の高さが大きくてテーパが深くなると、挿入側コネクタ部１２の後部１２Ｂが羽根３０によって整列されるまでには挿入側コネクタ部１２の肩２６のテーパ面２６ａの先細部分と肩係合部２８との隙間が大きくなって挿入側コネクタ部１２がぶれ易くなるため、羽根３０の高さａは、肩２６のテーパ面の高さＡが大きくなるにつれて大きくなるように設定するのが好ましく、特にａはＡよりも大きく設定することが好ましい。
【００２８】
また、挿入側コネクタ部１２の軸線方向の長さＬが大きく、挿入側コネクタ部１２が受入側コネクタ部１４の嵌合部分２２Ａに深く嵌合される場合には、図９に示すように、肩係合部２８の平行部分２８ｂの内面には挿入側コネクタ部１２の深く入り込んだ部分の心合わせを維持するための突起３４を設けるのが好ましい。
【００２９】
上記実施の形態では、挿入側コネクタ部１２の前部１２Ａは、肩係合部２８側の弾性的な撓みによって整列するようにしたが、先に述べたように、肩２６側を弾性的に撓ませて整列するようにしてもよい。尚、挿入側コネクタ部１２の後部１２Ｂは、この挿入側コネクタ部１２に設けられた羽根３０の撓みによる変位によって整列しており、この羽根３０は、受入側コネクタ部１４の案内部分２２Ｂ側に設けると、挿入側コネクタ部１２の後部１２Ｂの心合わせが有効に行われ難いので、これは挿入側コネクタ部１２側に設けることが要求される。
【００３０】
【発明の効果】
本発明によれば、上記のように、挿入側コネクタ部が受入側コネクタ部に挿入されて両コネクタ部のコネクタ端子が嵌合し始めるまで挿入側コネクタ部と受入側コネクタ部とを相互に整列した正しい嵌合姿勢に矯正するコネクタ姿勢矯正手段を備えているので、コネクタ端子が相互に嵌合する際に、両コネクタ部は相互に整列しており、コネクタ端子の嵌合を小さな力で円滑に行うことができ、従ってコネクタ端子に無理か力が加わったり変形したりすることがなく、電気的接続の不良を招くことがない。
【００３１】
また、このコネクタ姿勢矯正手段が挿入側コネクタ部の前部の肩が受入側コネクタ部の中心軸線に向けて押されて挿入側コネクタ部の前部が受入側コネクタ部に対して整列して正しい姿勢となるように挿入側コネクタ部の前部の肩を弾性的に押し付ける肩係合部を有するため、挿入側コネクタ部の前部が受入側コネクタ部の肩係合部に押されて受入側コネクタ部に自動的に中心合わせされるので、挿入側コネクタ部の前部を受入側コネクタ部に容易に整列することができ、従って挿入側コネクタ部の後部の整列と組合わさって挿入側コネクタ部の姿勢を確実に矯正することができる。
【００３２】
特に、挿入側コネクタ部の肩がテーパ面を有し、受入側コネクタ部の肩係合部は、挿入側コネクタ部のこのテーパ面の肩によって押し広げられるようにこの肩を案内する曲面を有するため、挿入側コネクタ部の前部の整列を一層良好に行うことができるので好ましい。
【００３３】
更に、コネクタ姿勢矯正手段が受入側コネクタ部の内面に対応して挿入側コネクタ部の外面に設けられて挿入側コネクタ部の後部が受入側コネクタ部に対して整列して正しい姿勢となるように受入側コネクタ部の内面に弾性的に係合する複数の羽根を有するため、挿入側コネクタ部の羽根が受入側コネクタ部の内面に押されて受入側コネクタ部に自動的に中心合わせされるので、挿入側コネクタ部を受入側コネクタ部に容易に整列することができ、従って挿入側コネクタ部の前部の整列と挿入側コネクタ部の後部の姿勢制御との２段階の制御によって挿入側コネクタ部を正しい姿勢に確実に矯正することができる。
【図面の簡単な説明】
【図１】本発明の１つの実施の形態によるコネクタの分解状態を示すが、受入側コネクタ部のみを縦断面で示す側面図である。
【図２】図１のコネクタの各コネクタ部を内側から見た状態を示し、同図（Ａ）は挿入側コネクタ部の内側から見た正面図、同図（Ｂ）は受入側コネクタ部の内側から見た正面図である。
【図３】図１のコネクタの挿入側コネクタ部の外観を後方から見た状態の斜視図である。
【図４】挿入側コネクタ部に設けられた１つの羽根の拡大断面図である。
【図５】受入側コネクタ部に設けられた肩係合部の拡大断面図である。
【図６】図１と同様の図であるが、挿入側コネクタ部が受入側コネクタ部に挿入し始めた状態の側面図である。
【図７】図１と同様の図であるが、挿入側コネクタ部の肩が受入側コネクタ部の肩係合部に係合し始め、また挿入側コネクタ部の羽根が受入側コネクタ部の案内部分の内面に係合し始めた状態の側面図である。
【図８】両コネクタ部が完全に結合した状態の側面図である。
【図９】受入側コネクタ部の肩係合部の変形例を示す拡大断面図である。
【符号の説明】
１０ コネクタ
１２ 挿入側コネクタ部
１２Ａ 前部
１４ 受入側コネクタ部
１６ 雌コネクタ端子
１８ 雄コネクタ端子
２０ 挿入側コネクタ部１２のフレーム
２０ａ 案内溝
２２ 受入側コネクタ部１４のフレーム
２２Ａ フレーム２２の嵌合部分
２２ａ 中央逃げ孔
２２Ｂ フレーム２２の案内部分
２４ コネクタ姿勢矯正手段
２４Ａ 前部姿勢矯正部
２４Ｂ 後部姿勢矯正部
２６ 肩
２６ａ テーパ面
２８ 肩係合部
２８ａ 肩係合部２８の直角に延びる部分
２８ｂ 肩係合部２８の平行に延びる部分
２８ｃ 両部分２８ａ、２８ｂの間の屈曲部
２８ｄ 屈曲部２８ｄの曲面
３０ 羽根
３２ 撓み片
３４ 突起
Ｘ１２ 挿入側コネクタ部１２の中心軸線
Ｘ１４ 受入側コネクタ部１４の中心軸線
【図１】
0003976921.tif 000002
【図２】
0003976921.tif 000003
【図３】
0003976921.tif 000004
【図４】
0003976921.tif 000005
【図５】
0003976921.tif 000006
【図６】
0003976921.tif 000007
【図７】
0003976921.tif 000008
【図８】
0003976921.tif 000009
【図９】
0003976921.tif 000010